(57)【要約】【課題】タブレットを装着した場合に、そのタブレットが示す操作のみが実行可能なタブレットを用いた機器誤認操作防止装置を提供する。【解決手段】誤認操作防止装置１は、発変電所の現場に設置される現地実機器のオンオフを操作する操作パネル７と、該操作パネル７の近傍に配置される実機用台座１０と、現地実機器の操作内容を表示するタブレット５０とによって構成され、実機用台座１０に、入用タブレットが装着されたときに、操作パネル７のオンスイッチ２１のみの操作を有効とする入回路２０が構成され、実機用台座１０に、切用タブレットが装着された時に、操作パネル７のオフスイッチ３１のみの操作を有効とする切回路３０が構成される。【選択図】  図１
2011205733.tif 000002
【特許請求の範囲】
【請求項１】
発変電所の現場に設置される現地実機器のオンオフを操作する操作パネルと、
前記操作パネルの近傍に配置される実機用台座と、
前記実機用台座に装着可能であり、前記現地実機器の操作内容を表示するタブレットとにより構成され、
前記実機用台座に、操作内容を表示するタブレットとして入用タブレットが装着された際に、前記操作パネルのオンスイッチのみの操作を有効にする入回路が構成され、
前記実機用台座に、操作内容を表示するタブレットとして切用タブレットが装着された際に、前記操作パネルのオフスイッチのみの操作を有効にする切回路が構成されることを特徴とするタブレットを用いた機器誤認操作防止装置。
【請求項２】
前記実機用台座は、絶縁材料からなる基部と、該基部上に設けられ、前記入回路を構成する一対の入回路端子と、前記基部上に設けられ、前記切回路を構成する一対の切回路端子とを具備し、
前記入用タブレットは、前記実機用台座にセットされた時に、内部の導通手段によって前記入回路端子を導通させて前記入回路を構成させ、
前記切用タブレットは、前記実機用台座にセットされた時に、内部の導通手段によって前記切回路端子を導通させて前記切回路を構成させることを特徴とする請求項１記載のタブレットを用いた機器誤認操作防止装置。
【請求項３】
前記入用タブレットが前記実機用台座にセットされて、入回路が構成された場合、所定時間操作パネルのオフスイッチを操作可能にするタイマ手段を具備することを特徴とする請求項１又は２記載のタブレットを用いた機器誤認操作防止装置。
【請求項４】
前記実機用台座にセットされた時に、内部の導通手段によって前記入回路端子を導通させて前記入回路を構成すると共に、内部の導通手段によって前記切回路端子を導通させて前記切回路を構成する試験用タブレットを更に有することを特徴とする請求項２記載のタブレットを用いた機器誤認操作防止装置。
【請求項５】
前記実機用台座には、絶縁材料からなる透明カバーが設けられること特徴とする請求項１〜４のいずれか１つに記載のタブレットを用いた機器誤認操作防止装置。
【発明の詳細な説明】
【技術分野】
【０００１】
本発明は、発変電所の現場機器を操作票となるタブレットを用いて確認しながら操作する場合に、現場機器の操作が誤認なく確実に実行されるようにするためのタブレットを用いた機器誤認操作防止装置に関する。
【背景技術】
【０００２】
従来、発変電所では、誤認による遮断器など開閉機器誤認操作の経験から、系統表示板と現地実機器に照合用タブレットを設けて誤認操作を防止するようにしている。
【０００３】
このような照合用タブレットは、機器固有に命名された機器番号が記載され、同一構内のタブレット毎に特殊な形状の穴や切り欠きを持たせることによって実機照合を図るようにしたものである。
例えば、特許文献１及び２に開示されているように、実機毎に割り当てられた２枚一組の同形のタブレットを対応する取付台座のみに取り付けることができるようにしておき、タブレットの一方の面には「入中」表示がなされ、他方の面には「切中」表示がなされており、発変電所の現場機器（以下、実機という）を操作する際に、操作手順票に記載された順を追って所内結線表示板（以下、表示板という）のタブレット（例えば、「入中」表示）を取り外して実機へ移動し、実機にセットされている「入中」タブレットを外し、持参した表示板の「入中」タブレットを裏返して実機にセットする。この際、表示板から持参したタブレットは、裏返さなければ実機にセットできないようになっており、したがって、裏返して実機セットされたタブレットには「切中」表示がされていることから、操作者は今から実機を「切」操作しなければならないことを再認識し、実機の「切」操作を行うようになっている。
そして、「切」操作が完了した後に、先に実機にセットされていた「入中」タブレットを持ち帰り、表示板にセットする。この際、持ち帰ったタブレットは、裏返さなければ表示板にセットできないようになっており、したがって、裏返して表示板にセットされたタブレットには「切中」表示がされていることから、表示板と実機との表示の整合が図られるようになっている。
【先行技術文献】
【特許文献】
【０００４】
【特許文献１】特開２００８−１１６７２６号公報
【特許文献２】特開２００８−１１８７９４号公報
【発明の概要】
【発明が解決しようとする課題】
【０００５】
しかしながら、上述した「タブレット」の照合による誤認操作防止システムは、人為的な照合行為をルール化することによって誤認操作を回避するようにしているため、操作者が照合行為そのものを省略するなどのルール違反が行われた場合には、対処のしようがなく、錯誤により誤操作されてしまう危険がある。
【０００６】
本発明は、係る事情に鑑みてなされたものであり、タブレットを装着した場合に、そのタブレットが示す操作のみが実行できるようにすることで、物理的に機器の誤認操作ができないようにしたタブレットを用いた機器誤認操作防止装置を提供することを主たる課題としている。
【課題を解決するための手段】
【０００７】
上記課題を達成するために、本発明に係るタブレットを用いた機器誤認操作防止装置は、発変電所の現場に設置される現地実機器のオンオフを操作する操作パネルと、前記操作パネルの近傍に配置される実機用台座と、前記実機用台座に装着可能であり、前記現地実機器の操作内容を表示するタブレットとにより構成され、前記実機用台座に、操作内容を表示するタブレットとして入用タブレットが装着された際に、前記操作パネルのオンスイッチのみの操作を有効にする入回路が構成され、前記実機用台座に、操作内容を表示するタブレットとして切用タブレットが装着された際に、前記操作パネルのオフスイッチのみの操作を有効にする切回路が構成されることを特徴としている。
【０００８】
したがって、このような構成によれば、例えば操作手順票に記載された順にしたがって、所内結線表示板のタブレットを取り出して、所定の実機用台座に装着した場合、そのタブレットが入用タブレットである場合には、その現地実機器の入回路のみが構成されるので、現地実機器のオンスイッチのみの操作が有効となる。同様に、そのタブレットが切用タブレットである場合には、その現地実機器の切回路のみが構成されるので、オフスイッチのみの操作が有効となる。しかも、タブレットを実機用台座にセットしない限り、入回路または切回路が構成されないため、タブレットを持たない者による無断操作が不可能となる。
【０００９】
また、前記実機用台座は、絶縁材料からなる基部と、該基部上に設けられ、前記入回路を構成する一対の入回路端子と、前記基部上に設けられ、前記切回路を構成する一対の切回路端子とを具備し、前記入用タブレットは、前記実機用台座にセットされた時に、内部の導通手段によって前記入回路端子を導通させて前記入回路を構成し、前記切用タブレットは、前記実機用台座にセットされた時に、内部の導通手段によって前記切回路端子を導通させて前記切回路を構成することが望ましい。
尚、既存のタブレットの形状を変更しないようにするために、一対の入回路端子と一対の切回路端子とは、それぞれ１つの端子を共用することで少なくとも３つの端子によって構成することが好ましい。
【００１０】
さらに、前記入用タブレットが前記実機用台座にセットされて入回路が構成された場合に、所定時間操作パネルのオフスイッチを操作可能にするタイマ手段を具備するようにしてもよい。これような構成によれば、入回路のみが構成されても、所定時間は現地実機器の切操作が可能となるため、入操作の直後に異常を感じた場合に即座の切操作が可能となり、安全性を確保することが可能となる。
【００１１】
さらにまた、実機用台座にセットされた時に、内部の導通手段によって入回路端子を導通させて入回路を構成すると共に、内部の導通手段によって切回路端子を導通させて切回路を構成する試験用タブレットを更に備えることが好ましい。このような試験用タブレットを実機用台座にセットした場合には、「入」操作及び「切」操作の両方が操作可能となるため、試験を効率良く行うことが可能となる。
【００１２】
また、前記実機用台座には、絶縁材料からなる透明カバーを設けることが望ましい。これによって、制御電源による感電や短絡、地絡等を防止できると共に、カバーをした状態においてもタブレットの設置状態を確認することが可能となる。
【発明の効果】
【００１３】
以上述べたように、本発明によれば、人為的な照合行為をルール化した従来の確認作業と異なり、現地実機器の操作に当たって所定の操作を示すタブレットを現地実機器の操作パネル近傍に設置された実機用台座にセットすると、そのタブレットが示す操作のみが実行可能となることから、誤認操作を確実に防止することが可能となる。
また、タブレットをセットしない限り、入回路も切回路も構成されないため、タブレットを持たない者による無断操作が不可能となり、セキュリティを強化することが可能となる。
【図面の簡単な説明】
【００１４】
【図１】本願発明に係るタブレットを用いた機器誤認操作防止装置の構成を示す回路図である。
【図２】本願発明に係るタブレットを用いた機器誤認操作防止装置の実機用台座と、これに装着されるタブレット及び実機用台座を覆うカバーを説明する斜視図である。
【図３】図３はタブレットを示す斜視図であり、（ａ）は入用タブレット、（ｂ）は切用タブレット、（ｃ）は試験用タブレットをそれぞれ示す図である。
【図４】所内結線表示板の概略構成図である。
【発明を実施するための最良の形態】
【００１５】
本願発明に係るタブレットを用いた機器誤認操作防止装置は、発変電所の現場に設置される現地実機器のオンオフを操作する操作パネルと、該操作パネルの近傍に配置される実機用台座と、現地実機器の操作内容を表示するタブレットとによって構成され、実機用台座に、操作内容を表示するタブレットとして入用タブレットが装着されたときに、操作パネルのオンスイッチのみを操作可能にする入回路が構成され、実機用台座に、操作内容を表示するタブレットとして切用タブレットが装着された時に、操作パネルのオフスイッチのみを操作可能にする切回路が構成されるものである。また、試験用タブレットが装着されたときに、前記入回路及び切回路を同時に構成することができるようにしている。さらに、入回路が構成された場合に、所定時間オフスイッチの操作が可能になるように、タイマが設けられている。
【実施例】
【００１６】
以下、本願発明の実施例について、図面により説明する。図１に示されるように、本願発明の実施例に係る誤認操作防止装置１は、１１０Ｖ直流制御ラインＰ、Ｎ間に設けられるもので、図示しない現地実機器のスイッチをＯＮ操作するためのオン操作用リレー２（ＣＣ）と、現地実機器のスイッチをＯＦＦ操作するためのオフ操作用リレー３（ＴＣ）とを具備するものである。尚、このオン操作用リレー２及びオフ操作用リレー３は、遠方操作回路４の入スイッチ５及び切スイッチ６によってそれぞれ操作可能である。
【００１７】
また、現地実機器の操作パネル７の近傍に配置される実機用台座１０には、下記するタブレット５０がセットされる３つの突出端子１１，１２，１３が設けられる。第１の突出端子１１は、操作パネル７のオンスイッチ２１及びオフスイッチ３１の一方の端子と接続され、第２の突出端子１２は、オンスイッチ２１と連動するリレースイッチ２２を介して前記オン操作用リレー２の一方の端子と接続されている。また、第３の突出端子１３は、操作パネル７のオフスイッチ３１と連動するリレースイッチ３２を介して前記オフ操作用リレー３の一方の端子と接続されている。さらに、前記オンスイッチ２１及びオフスイッチ３１の他端の端子は、制御電源の直流１１０ＶのＰラインと接続され、また、前記オン操作用リレー２及びオフ操作用リレー３の他方の端子は、共に制御電源の直流１１０ＶのＮラインと接続されている。これにより、第１の突出端子１１及び第２の突出端子１２によって一対の入回路端子が構成され、第１の突出端子１１及び第３の突出端子１３によって一対の切回路端子が構成される。
【００１８】
さらに、オンスイッチ２１と第１の突出端子１１との間は、タイマリレー（Ｔ）４０を介して前記Ｎラインに接続され、また、オンスイッチ２１と第１の突出端子１１との間は、リレースイッチ４１を介して第３の突出端子１３に接続されている。このリレースイッチ４１は、タイマリレー４０によって開閉制御されるもので、タイマリレー（Ｔ）４０への通電が開始されて所定時間閉成（ＯＮ）するようになっている。
【００１９】
前記実機用台座１０は、本実施例では樹脂等の絶縁材料によって構成された基部１０ａを有し、例えば図２に示すように、前記第１〜第３の突出端子１１，１２，１３がそれぞれの現地実機器に固有の配置となるように基部１０ａから突設されている。前記第１〜第３の突出端子１１，１２，１３は、これにセットされるタブレット５０を保持する役目も有している。
【００２０】
また、オンスイッチ２１やオフスイッチ３１の投入により、第１の突出端子１１は制御電圧が印加された状態となるため、操作中に短絡、地絡、感電等の事故が起きないように、実機用台座１０を覆うカバー７０が設けられている。このカバー７０は、例えば、実機用台座１０の上部に支持された回転軸７０ａを中心として回動可能に設けられており、透明アクリル等の透明な絶縁材料によって構成され、台座の前方及び側方を覆うことができるようになっている。
【００２１】
さらに、前記タブレット５０は、図３（ａ），（ｂ），（ｃ）に示すように、第１の突出端子１１に対応する位置に開口する第１の孔５１と、第２の突出端子１２に対応する位置に開口する第２の孔５２と、第３の突出端子１３に対応する位置に開口する第３の孔５３が形成されるもので、図３（ａ）で示される入用タブレット５０Ａは、第１の突出端子１１が挿入される第１の孔５１と第２の突出端子１２が挿入される第２の孔５２とが導通手段５４によって内部で導通されている。具体的には、第１の孔５１と第２の孔５２のそれぞれに、ここに挿入される突出端子（１１又は１２）と接触する導電性の接続片５１ａ、５２ａを設け、これら接続片５１ａ、５２ａを導線や金属片等の導電体５４ａによってタブレットの内部で接続し、第１の孔５１に挿入された第１の突出端子１１と第２の孔５２に挿入された第２の突出端子１２とを上述した接続片５１ａ、５２ａや導電体５４ａによって構成される導通手段５４によって導通するようにしている。
【００２２】
また、図３（ｂ）で示される切用タブレット５０Ｂは、第１の突出端子１１が挿入される第１の孔５１と第３の突出端子１３が挿入される第３の孔５３とが導通手段５５によって内部で導通されている。具体的には、第１の孔５１と第３の孔５３とのそれぞれに、ここに挿入される突出端子（１１又は１３）と接続する導電性の接続片５１ａ、５３ａを設け、これら接続片を導線や金属片等の導電体５５ａによって内部で接続し、第１の孔５１に挿入された第１の突出端子１１と第３の孔５３に挿入された第３の突出端子１３とを上述した接続片５１ａ、５３ａや導電体５５ａによって構成される導通手段５５によって導通するようにしている。
【００２３】
さらに、図３（ｃ）で示される試験用タブレット５０Ｃは、第１の突出端子１１が挿入される第１の孔５１と第２の突出端子１２が挿入される第２の孔５２とが導通手段５４によって内部で導通されており、また、第１の突出端子１１が挿入される第１の孔５１と第３の突出端子１３が挿入される第３の孔５３とが導通手段５５によって内部で導通されている。即ち、第１の孔５１と第２の孔５２のそれぞれに、ここに挿入される突出端子（１１又は１２）と接触する導電性の接続片５１ａ、５２ａを設け、これら接続片５１ａ、５２ａを導線や金属片等の導電体５４ａによってタブレットの内部で接続し、第１の孔５１に挿入された第１の突出端子１１と第２の孔５２に挿入された第２の突出端子１２とを上述した接続片５１ａ、５２ａや導電体５４ａによって構成される導通手段５４によって導通し、また、第１の孔５１と第３の孔５３とのそれぞれに、ここに挿入される突出端子（１１又は１３）と接続する導電性の接続片５１ａ、５３ａを設け、これら接続片を導線や金属片等の導電体５５ａによって内部で接続し、第１の孔５１に挿入された第１の突出端子１１と第３の孔５３に挿入された第３の突出端子１３とを上述した接続片５１ａ、５３ａや導電体５５ａによって構成される導通手段５５によって導通するようにしている。
【００２４】
以上の構成において、作業の操作手順票に記載された手順に従って、例えば図４に示されるような所内結線表示板６０の結線６１の所定位置にある上述したタブレット５０を取り外し、そのタブレット５０をそれに対応する現地実機器の操作パネル７へ持参した場合について説明する。持参したタブレット５０が、例えば図３（ａ）で示すような入用タブレット５０Ａである場合には、その現地実機器の操作パネル７の近傍の実機用台座１０に入用タブレット５０Ａを装着すると、図１で示す第１の突出端子１１と第２の突出端子１２が導通手段５４を介して導通状態となるため、入回路２０が構成される。
【００２５】
そして、オンスイッチ２１が投入されると、リレースイッチ２２が同時に投入されるため、制御電源のＰラインからＮラインに向けてオン操作用リレー２（ＣＣ）を通過するように電流が流れ、現地実機器がＯＮ状態となる。この際、オンスイッチ２１の投入と同時にタイマリレー４０が作動し、所定時間（例えば、５秒間）切回路３０が構成されるため、現地実機器をＯＮ操作した直後に異常を感じた場合には、すぐにオフスイッチ３１を投入すれば、オフ操作用リレー３を作動させて現地実機器をＯＦＦにすることが可能となる。また、タイマリレー５０によって所定時間経過後は、リレースイッチ４１が開となるため、切回路３０が遮断された状態となり、たとえオフスイッチ３１が投入されてもオフ操作用リレー３は作動せず、現地実機器がＯＦＦ操作されることがなくなり、入用タブレット５０Ａに示された状態が維持されることとなる。
【００２６】
また、持参したタブレット５０が例えば図３（ｂ）で示すような切用タブレット５０Ｂである場合には、現地実機器の操作パネル７の近傍の実機用台座１０に切用タブレット５０Ｂを装着すると、図１で示す第１の突出端子１１と第３の突出端子１３が導通手段５５を介して導通状態となるため、切回路３０が構成される。
【００２７】
そして、オフスイッチ３１が投入されると、リレースイッチ３２が同時に投入されるため、制御電源のＰラインからＮラインに向けてオフ操作用リレー３（ＴＣ）を通過するように電流が流れ、現地実機器がＯＦＦ状態となる。
【００２８】
さらに、持参したタブレット５０が、例えば図３（ｃ）で示すような試験用タブレット５０Ｃである場合には、現地実機器の操作パネル７の近傍の実機用台座１０に試験用タブレット５０Ｃを装着すると、図１で示す第１の突出端子１１と第２の突出端子１２が導通手段５４を介して導通状態となり、それと同時に、第１の突出端子１１と第３の突出端子１３が導通手段５５を介して導通状態となるため、入回路２０と切回路３０とが同時に構成される。このため、この場合には、試験用に現地実機器をオン操作及びオフ操作することが可能となる。
【００２９】
したがって、以上の構成によれば、上述の入用タブレット５０Ａを用いた場合には、現地実機器の入回路２０のみが構成されるので、現地実機器のオンスイッチ２１の操作のみが有効となり、また、切用タブレット５０Ｂを用いた場合には、現地実機器の切回路３０のみが構成されるので、現地機器のオフスイッチ３１の操作のみが有効となる。このため、タブレットが示す操作のみが実行可能となることから、誤認操作を確実に防止することが可能となる。しかも、上述したタブレットをセットしない限り入回路２０や切回路３０が構成されないため、タブレット５０を持たない者による無断操作が不可能となる。
【００３０】
また、上述の構成によれば、一対の入回路端子と一対の切回路端子とは、それぞれ１つの突出端子１１を共用することによって少なくとも３つの突出端子によって構成されているので、従来のタブレット形状を変える必要がなく、本タブレットへの交換に伴う誤操作を誘発することも無くなる。
【００３１】
さらに、入回路２０が構成された場合には、所定時間操作パネル７のオフスイッチ３１を操作可能にする手段を設けるようにしたので、入回路２０のみが構成されても、所定時間は現地実機器の切操作が可能となるため、入操作の直後の異常時において即座に切操作を行うことが可能となり、安全性を確保することが可能となる。
【００３２】
さらにまた、上記試験用タブレット５０Ｃを用いることで、「入」操作及び「切」操作の両方の操作が可能となるため、試験を簡易かつ効率良く行うことが可能となり、また、実機用台座には、透明絶縁材料からなるカバー７０が設けられているので、制御電源による短絡、地絡、感電事故を防止することができ、また、カバー内のタブレットの設置状態をカバー７０をしたまま確認することが可能となる。
【符号の説明】
【００３３】
１  誤認操作防止装置
２  オン操作用リレー
３  オフ操作用リレー
４  遠方操作回路
１０  実機用台座
１１  第１の突出端子
１２  第２の突出端子
１３  第３の突出端子
２０  入回路
２１  オンスイッチ
３１  オフスイッチ
４０  タイマリレー
５０  タブレット
５０Ａ  入用タブレット
５０Ｂ  切用タブレット
５０Ｃ  試験用タブレット
６０  所内結線表示板
６１  結線
７０  カバー
【図１】
2011205733.tif 000003
【図２】
2011205733.tif 000004
【図３】
2011205733.tif 000005
【図４】
2011205733.tif 000006